(57)【要約】【課題】本発明の課題は、片手で焦点合わせされ得て、懐中電灯の組み立てが僅かな部品点数だけで済む、焦点合わせ可能な懐中電灯を提供することにある。【解決手段】この課題は、ハウジング２と光源３とランプヘッド４内に配置された前置光学系５とを有する懐中電灯であって、前記ランプヘッド４が、前記光源３に対して摺動可能である懐中電灯において、ハウジング側のストッパ８及びランプヘッド側の対応するストッパ１３が形成されている結果、前記ランプヘッド４が、前記ハウジング２に脱落しないように結合されていることによって解決される。【選択図】図１ａ
2012028319.tif 000002
【特許請求の範囲】
【請求項１】
ハウジング（２）と光源（３）とランプヘッド（４）内に配置された前置光学系（５）とを有する懐中電灯であって、前記ランプヘッド（４）が、前記光源（３）に対して摺動可能である懐中電灯において、
ハウジング側のストッパ（８）及びランプヘッド側の対応するストッパ（１３）が形成されている結果、前記ランプヘッド（４）が、前記ハウジング（２）に脱落しないように結合されていることを特徴とする懐中電灯。
【請求項２】
前記ハウジング側のストッパ（８）は、リングスリーブ（７）上に形成されていて、このリングスリーブ（７）は、前記ハウジング（２）に結合されていることを特徴とする請求項１に記載の懐中電灯。
【請求項３】
前記光源（３）は、ディスクホルダ（６）上に固定されていて、このディスクホルダ（７）は、前記リングスリーブ（７）によって前記ハウジング（２）に当接して保持されることを特徴とする請求項１又は２に記載の懐中電灯。
【請求項４】
外側のガイド要素（９）が、前記ハウジング（２）上又は前記リングスリーブ（７）上に配置されていて、前記ランプヘッド（４）が、前記ハウジング（２）に脱落しないように結合されているように、このランプヘッド（４）が、２つの部分に形成されていて且つ組み立てられた状態で前記ハウジング側のストッパ（８）を包囲することを特徴とする請求項１〜３のいずれか１項に記載の懐中電灯。
【請求項５】
前記ランプヘッド（４）は、前部材（１０）及び後部材（１１）を有し、前記前置光学系（５）は、前記前部材（１０）に結合されていて、前記ランプヘッド側のストッパ（１３）は、前記後部材（１１）に当接して形成されていることを特徴とする請求項１〜４のいずれか１項に記載の懐中電灯。
【請求項６】
前記ランプヘッド（４）の両部材（１０，１１）は、対応するねじ溝を有し、脱落しない結合のため、前記後部材（１１）が、前記ハウジング（２）の表面に沿って後から送られ、前記前部材（１０）が、前記後部材（１１）にねじ留めされることを特徴とする請求項１〜５のいずれか１項に記載の懐中電灯。
【請求項７】
前記ランプヘッド（４）は、前記ガイド要素（９）に当接しているシリンダ状のガイド面（１４）を有することを特徴とする請求項１〜６のいずれか１項に記載の懐中電灯。
【請求項８】
前記ガイド要素（９）は、円環面形又はリング形のＯリングであり、このＯリングは、特に弾性材から成ることを特徴とする請求項１〜７のいずれか１項に記載の懐中電灯。
【請求項９】
前記光源（３）は、ＬＥＤであり、前記ホルダ（６）は、その裏面に円形でリング形の同心に配置された複数の接触面と１つのリング状当接面とを有し、このリング状当接面は、熱伝導可能な材料から成り、前記ハウジング（２）のソケット状段部（２０）上に当接することを特徴とする請求項１〜８のいずれか１項に記載の懐中電灯。
【請求項１０】
前記ホルダ（６）は、前記ハウジング（２）から或る程度だけ突出する結果、このホルダ（６）は、前記リングスリーブ（７）と前記ハウジング（２）とに一体的に結合されていることを特徴とする請求項１〜９のいずれか１項に記載の懐中電灯。
【発明の詳細な説明】
【技術分野】
【０００１】
本発明は、ハウジング、光源及びランプヘッド内に配置された前置光学系を有する懐中電灯に関する。この場合、ランプヘッドが、光源に対して長手軸線方向に摺動可能である。
【背景技術】
【０００２】
冒頭で述べた種類の焦点合わせ可能な懐中電灯は、従来の技術により原理的に公知である。例えばドイツ連邦共和国実用新案第２０３０８７３９号明細書中には、前面に配置された集光レンズ、光源及びこの集光レンズとこの光源との間に配置された光部分透過性の画像記録媒体を有する懐中電灯が記されている。画像の投影を可能にするため、この画像記録媒体は、長手軸線方向に可動なディスクスリーブ内に配置されている。集光レンズに対する光源の距離とこの集光レンズに対する画像記録媒体の距離との双方が、当該ディスクスリーブの長手方向の摺動によって変更可能である。画像記録媒体を摺動可能に支承するため、少なくとも３つの別の結合要素、すなわちアダプタ、ガイドスリーブ及びディスクスリーブが、ランプヘッド及びハウジングの他に設けられている。その結果、懐中電灯の組み立てに比較的経費がかかる。
【０００３】
さらに、放射光を焦点合わせするため、反射器と光源とが、回転運動によって互いに相対的に摺動され得るように、ランプヘッド内に支承された当該反射器を有するこのランプヘッドと当該光源を有するハウジングとが、螺合によって互いに結合されている懐中電灯が公知である。しかしながら、この実施の形態には、当該焦点合わせのため、常に２本の手が必要になるという欠点がある。この場合、ハウジングが、一方の手で把持され、ランプヘッドが、他方の手で回転又は偏向される。
【先行技術文献】
【特許文献】
【０００４】
【特許文献１】ドイツ連邦共和国実用新案第２０３０８７３９号明細書
【発明の概要】
【発明が解決しようとする課題】
【０００５】
本発明の課題は、片手で焦点合わせされ得て、懐中電灯の組み立てが僅かな部品点数だけで済む、焦点合わせ可能な懐中電灯を提供することにある。
【課題を解決するための手段】
【０００６】
この課題は、請求項１に記載の懐中電灯によって解決される。本発明によるハウジング側のストッパとランプヘッド側の対応するストッパとが、懐中電灯に形成されている。その結果、ランプヘッドが、ハウジングに脱落しないように結合されている。これによって、迅速に組み立て可能である極めてコンパクトな構造が提供される。その結果、組み立てコストが低減される。さらに、損傷した構成要素が迅速に且つ簡単に交換され得る。
【０００７】
その他の好適な構成は、以下及び従属請求項に記載されている。
【０００８】
第１の実施の形態によれば、ハウジング側のストッパが、このハウジングに結合されているリングスリーブ上に形成されていることが提唱されている。最も簡単な場合、これに対して、螺合が提唱されている。その結果、リングスリーブが、ハウジングにねじ留めされ得る。この代わりに、フランジ式の結合又はその他の取り外し可能な結合も考えられる。このようなスリーブは、容易に製造することができ、したがって安価に入手可能である。さらに、ストッパをリングスリーブ上に配置することによって、ハウジングが、懐中電灯の様々な実施の形態に対して使用可能である、という利点を奏する。このことは、少なくともストッパがハウジング上に形成されている場合である。
【０００９】
この場合、リングスリーブは、ストッパの支持部材として使用されるだけではなくて、光源用の固定手段としても形成されている。このため、光源は、好ましくはディスクホルダ上に固定されている。このディスクホルダは、リングスリーブによってハウジング当接して保持される。
【００１０】
さらに、好ましくは、外側のガイド要素が設けられている。このガイド要素は、ハウジング又はリングスリーブ上に配置されている。この場合、ランプヘッドが、ハウジングに脱落しないように結合されているように、このランプヘッドが、２つの部分に形成されていて且つ組み立てられた状態でハウジング側のストッパを包囲する。この場合、閾値を超える力が、ランプヘッドにかかった時だけ、当該ガイド要素が使用される。何故なら、この時にだけ、当該力が、ガイド要素とランプヘッドとの間の摩擦力を上回るからである。ガイド要素が、リングスリーブ上に配置されている実施の形態の場合、同様に、ハウジングが、様々な懐中電灯に対して使用され得る、という利点を奏する。確かに、ガイド要素は、ハウジング上に配置されてもよい。リングスリーブ及び／又はハウジングに結合されている複数のガイド要素を使用することも可能である。
【００１１】
本発明の好適な構成によれば、ランプヘッドが、前部材及び後部材を有することが提唱されている。この場合、前置光学系が、前部材に結合されていて、ランプヘッド側のストッパが、後部材に当接して形成されている。さらに、ランプヘッドの当該両部材が、対応するねじ溝を有する。この場合、脱落しない結合のため、後部材が、ハウジングの表面に沿って後から送られ、前部材が、この後部材にねじ留めされる。この代わりに、ランプヘッドの一部が、フランジ式の結合又はその他の取り外し可能な結合によって互いに結合されてもよい。この場合、当該一部は、軸線方向ではなくて、半径方向に組み合わせられる２つのシャーレ形部材から構成されてもよい。この構成の場合、ランプヘッドの一部が、特にフランジ式の結合によって結合されている。このような構成は特に、後部材がハウジングの表面に沿って送られ得ないように、ハウジングが構成されている場合に考えられる。このことは、例えば、懐中電灯の特に肉厚で堅固なハウジングの場合に想定され得る。
【００１２】
ランプヘッドは特に、ガイド要素に当接しているシリンダ状のガイド面を有する。異なって構成されたガイド要素の場合又は多数のガイド要素が提供された場合、当該ガイド面の配置をこれに応じて適合させる必要がある。
【００１３】
特に円環面形又はリング形のＯリングが、ガイド要素として考えられる。このＯリングは特に、例えばゴムのような弾性材から成る。この場合、当該ガイド要素は、摺動可能に保持するためだけに使用されるのではなくて、シールとしても使用される。その結果、例えば埃のような汚れ粒子が、ランプヘッド内に侵入し得ない。
【００１４】
別の実施の形態によれば、光源は、ＬＥＤであり、ホルダは、その裏面に円形でリング形の同心に配置された複数の接触面と１つのリング状当接面とを有する。このリング状当接面は、熱伝導可能な材料から成り、ハウジングのソケット状段部上に当接する。当該電気接触面の構造は、特にバッテリがバッテリーカートリッジ内に配置されている懐中電灯に対して適している。熱伝導可能な当接面の当該構造に起因して、熱がハウジングに対して放射されることによって、ホルダ全体が冷却される。このことは、使用される光源の耐久性を向上させる。このため、特にアルミニウム、黄銅又は銅が、好適な材料として適する。
【００１５】
当該ホルダの、特に簡単であるものの、同時に堅固な固定を提供するため、このホルダは、ハウジングから或る程度だけ突出する。その結果、このホルダは、リングスリーブとハウジングとに一体的に結合されている。
【図面の簡単な説明】
【００１６】
【図１ａ】懐中電灯の横断面の概略図である。
【図１ｂ】懐中電灯の横断面の概略図である。
【図１ｃ】懐中電灯の側面図である。
【図２ａ】ホルダ及びリングスリーブを有するハウジングを示す。
【図２ｂ】ホルダ及びリングスリーブを有するハウジングを示す。
【発明を実施するための形態】
【００１７】
以下に、本発明のその他の好適な実施の形態及び具体的な構成を図面に基づいて説明する。
【００１８】
懐中電灯１は、主にハウジング２、光源３、ランプヘッド４及びこのランプヘッド４内に支承された前置光学系５を有する。この場合、光源３は、ディスクホルダ６上に固定されている。懐中電灯１の光ビームを焦点合わせできるようにするため、前置光学系５が、光源３に対して摺動可能に支承されている。この場合、図１ａ中には、焦点調整部が示されている。この焦点調整部の場合、前置光学系５が、ホルダ６に対して間隔をあけて、したがって光源３に対して間隔をあけて位置する。これに対して図１ｂ中では、前置光学系が、ホルダ６上に載っている。その結果、ここでは、ホルダ６又は光源３と前置光学系５との間の最小可能距離Ａが示されている。
【００１９】
この示された実施の形態では、ホルダ６が、リングスリーブ７によってハウジング７に嵌合して保持される。その結果、リングスリーブ７とハウジング２とが、一体的な接合を形成する。さらに、リングスリーブ７は、ストッパ８及びガイド要素９を有する。このガイド要素９は、円環面形のＯリングである。ランプヘッド４をハウジング２に摺動稼働に且つ脱落しないように結合するため、このランプヘッド４は、前部材１０及び後部材１１を有する。当該両部材１０，１１は、（図示しなかった）ねじによって互いに結合されている。このため、後部材１１は、ハウジング２及びリングスリーブ７の表面に沿って後から矢印方向１２に摺動される。この場合、当該摺動運動は、リングスリーブ７上に形成されたストッパ８と後部材１１に沿って形成された対応するストッパ１３とによって制限される。これによって、ランプヘッド４が、ハウジング２に脱落しないように結合されている。ランプヘッド４の意図しない摺動を阻止するため、ガイド要素９が、後部材１１に沿って形成されているガイド面１４に当接する。ガイド要素９を磨耗時に交換するためには、ランプヘッド４だけが螺脱され、ガイド要素９が露出されて取り出され得るまで、後部材が、矢印方向１２の反対方向に摺動される必要がある。
【００２０】
図２ａ及びｂは、ホルダ６及びリングスリーブ７を有するハウジング２の詳細な図である。この場合、図２ａは、展開図である。ハウジング２は、ホルダ６を支承するためソケット状段部２０を有する。このホルダ６は、ソケット状段部２０上に置かれる。ねじ２１が、その前面に形成されている。その結果、リングスリーブ７が、対応するねじ２２によってハウジング２にねじ留めされ得る。したがって、ホルダ６は、リングスリーブ７とハウジング２との間に一体的に支承されている（矢印２３）。
【００２１】
ガイド要素９を収容するため、リング溝２４が、リングスリーブ７上に形成されている。さらに、このリングスリーブ７は、同様にリング状のストッパ８を有する。このストッパ８は、一緒に組み立てられた状態でランプヘッド４用のストッパを形成する。
【符号の説明】
【００２２】
１    懐中電灯
２    ハウジング
３    光源
４    ランプヘッド
５    前置光学系
６    ディスクホルダ
７    リングスリーブ
８    ストッパ
９    ガイド要素
１０  前部材
１１  後部材
１２  矢印方向
１３  ストッパ
１４  ガイド面
２０  ソケット状段部
２１  ねじ
２２  対応ねじ
２３  矢印
２４  リング溝
【図１ａ】
2012028319.tif 000003
【図１ｂ】
2012028319.tif 000004
【図１ｃ】
2012028319.tif 000005
【図２ａ】
2012028319.tif 000006
【図２ｂ】
2012028319.tif 000007